(57)【要約】    【課題】  ホースが必要以上にタンク内に挿入されることを防止するとともに、ホースがタンクから外れることを防止する。    【解決手段】  尿素水溶液タンクに補給する尿素水溶液を貯留する携行可能な容器であって、第１の端部４が容器の本体部に、第２の端部５が尿素水溶液タンクに接続されるホース６と、第２の端部５に固定され、第２の端部５が尿素水溶液タンクの開口部から所定長さ挿入された挿入状態で、ホース６を尿素水溶液タンクに着脱可能に固定する固定具７と、を含んで構成され、固定具７は、挿入状態で尿素水溶液タンクに当接して第２の端部５の所定長さを超える長さの尿素水溶液タンク内への移動を阻止する第１の係止部と、挿入状態で尿素水溶液タンクに係止してホース６の尿素水溶液タンクから離間する方向への移動を制限する第２の係止部と、を有する。【選択図】  図２
2006347605.tif 000002
【特許請求の範囲】
【請求項１】
タンクに補給する液体を貯留する携行可能な容器であって、
前記液体が貯留される本体部と、
第１の端部が前記本体部に、第２の端部が前記タンクに接続されるホースと、
前記第２の端部に固定され、前記第２の端部が前記タンクの開口部から所定長さ挿入された挿入状態で、前記ホースを前記タンクに着脱可能に固定する固定具と、
を含んで構成され、
前記固定具は、前記挿入状態で前記タンクに当接して前記第２の端部の前記所定長さを超える長さの前記タンク内への移動を阻止する第１の係止部と、前記挿入状態で前記タンクに係止して前記ホースの前記タンクから離間する方向への移動を制限する第２の係止部と、を有することを特徴とする携行容器。
【請求項２】
前記第１の係止部は、前記ホースの軸線を中心とする周方向の第１の位置と、前記軸線を挟んで前記第１の位置とは反対側の第２の位置と、に形成されることを特徴とする請求項１に記載の携行容器。
【請求項３】
前記第２の係止部は、前記ホースの軸線を中心とする周方向の第３の位置と、前記軸線を挟んで前記第３の位置とは反対側の第４の位置と、に形成されることを特徴とする請求項１または請求項２に記載の携行容器。
【請求項４】
前記固定具は、円環状に形成され、前記第２の端部が挿入されるベース部を有し、
前記第１の係止部は、前記ベース部から前記ホースの挿入方向に伸びる舌部と、この舌部から前記開口部の周壁に向けて伸びる外方突部とを有することを特徴とする請求項１〜請求項３のいずれか１つに記載の携行容器。
【請求項５】
前記開口部の周壁に、前記挿入状態で前記舌部が挿入される切欠部が設けられることを特徴とする請求項４に記載の携行容器。
【請求項６】
前記固定具は、円環状に形成され、前記第２の端部が挿入されるベース部を有し、
前記第２の係止部は、前記ベース部から前記ホースの挿入方向に伸びる略Ｌ字状の鉤部を有することを特徴とする請求項１〜請求項５のいずれか１つに記載の携行容器。
【請求項７】
前記固定具は、前記第２の端部に、前記ホースの軸線を中心として回転可能に固定されることを特徴とする請求項１〜請求項６のいずれか１つに記載の携行容器。
【請求項８】
前記液体は尿素水溶液であることを特徴とする請求項１〜請求項７のいずれか１つに記載の携行容器。
【請求項９】
第１の端部が液体を貯留する携行可能な容器の本体部に、第２の端部がタンクに接続されるホースの端部構造であって、
前記第２の端部に、前記第２の端部が前記タンクの開口部から所定長さ挿入された挿入状態で、前記ホースを前記タンクに着脱可能に固定する固定具が設けられ、
前記固定具は、前記挿入状態で前記タンクに当接して前記第２の端部の前記所定長さを超える長さの前記タンク内への移動を阻止する第１の係止部と、前記挿入状態で前記タンクに係止して前記ホースの前記タンクから離間する方向への移動を制限する第２の係止部と、を有することを特徴とするホースの端部構造。
【発明の詳細な説明】
【技術分野】
【０００１】
本発明は、タンクに補給する液体を貯留する携行容器及びこれに用いられるホースの端部構造に関し、特に、貯留した液体をタンクに導入するホースが接続された携行容器に関する。
【背景技術】
【０００２】
タンクに液体を補給するために、携行容器に貯留した液体を手動ポンプによりタンクに導入する方法が知られている（特許文献１）。この手動ポンプには、吐出管としてホースが使用されている。このものにおいて、タンクに液体を補給する際には、このホースの先端部がタンクに挿入される。更に、ホースには、その先端部をタンクに係止する係止爪が設けられている。係止爪は、ホースの先端部が必要以上にタンク内に挿入されることを阻止する。
【特許文献１】特開２０００−９０３８号公報（図８）
【発明の開示】
【発明が解決しようとする課題】
【０００３】
他方、タンクに液体を補給するために、ホースの基端部が直接接続された携行容器を使用する方法が知られている。このような構造の携行容器を使用する場合では、ホースの先端部をタンクに挿入し、携行容器をタンクより上方で傾斜させることにより、携行容器内の液体をタンクに補給する。
しかしながら、このような携行容器について、タンクへのホースの挿入を制限する手段は見受けられない。ホースの先端部に前記公知の係止爪を設けることが考えられるが、その場合には、ホースの先端部が必要以上にタンク内に挿入されなくなるが、ホースを無理に折り曲げた状態で液体を補給したり、液体の補給中に携行容器が移動したりすると、ホースがタンクから外れ、ホース内の液体を撒き散らす虞がある。
【０００４】
そこで、本発明は、ホースをタンクに挿入した挿入状態での液体の補給に際し、ホースの先端部が必要以上にタンク内に挿入されることを防止するとともに、ホースがタンクから外れることを防止する携行容器及びホースの端部構造を提供することを目的とする。
【課題を解決するための手段】
【０００５】
このため、請求項１記載の発明は、タンクに補給する液体を貯留する携行可能な容器であって、液体が貯留される本体部と、第１の端部が本体部に、第２の端部がタンクに接続されるホースと、第２の端部に固定され、第２の端部がタンクの開口部から所定長さ挿入された挿入状態で、ホースをタンクに着脱可能に固定する固定具と、を含んで構成され、固定具は、挿入状態でタンクに当接して第２の端部の所定長さを超える長さのタンク内への移動を阻止する第１の係止部と、挿入状態でタンクに係止してホースのタンクから離間する方向への移動を制限する第２の係止部と、を有することを特徴とする。
【０００６】
請求項２記載の発明では、第１の係止部は、ホースの軸線を中心とする周方向の第１の位置と、軸線を挟んで第１の位置とは反対側の第２の位置と、に形成されることを特徴とする。
請求項３記載の発明では、第２の係止部は、ホースの軸線を中心とする周方向の第３の位置と、軸線を挟んで第３の位置とは反対側の第４の位置と、に形成されることを特徴とする。
【０００７】
請求項４記載の発明では、固定具は、円環状に形成され、第２の端部が挿入されるベース部を有し、第１の係止部は、ベース部からホースの挿入方向に伸びる舌部と、この舌部から開口部の周壁に向けて伸びる外方突部とを有することを特徴とする。
請求項５記載の発明では、開口部の周壁に、挿入状態で舌部が挿入される切欠部が設けられることを特徴とする。
【０００８】
請求項６記載の発明では、固定具は、円環状に形成され、第２の端部が挿入されるベース部を有し、第２の係止部は、ベース部からホースの挿入方向に伸びる略Ｌ字状の鉤部を有することを特徴とする。
請求項７記載の発明では、固定具は、第２の端部に、ホースの軸線を中心として回転可能に固定されることを特徴とする。
【０００９】
請求項８記載の発明では、液体は尿素水溶液であることを特徴とする。
請求項９記載の発明では、第１の端部が液体を貯留する携行可能な容器の本体部に、第２の端部がタンクに接続されるホースの端部構造であって、第２の端部に、第２の端部がタンクの開口部から所定長さ挿入された挿入状態で、ホースをタンクに着脱可能に固定する固定具が設けられ、固定具は、挿入状態でタンクに当接して第２の端部の所定長さを超える長さのタンク内への移動を阻止する第１の係止部と、挿入状態でタンクに係止してホースのタンクから離間する方向への移動を制限する第２の係止部と、を有することを特徴とする。
【発明の効果】
【００１０】
請求項１または請求項９記載の発明によれば、第１の係止部により、ホースが容器内に所定長さを超えて必要以上に挿入されることが阻止されるので、ホースの外壁にタンク内の液体が付着することを防止できる。
また、第２の係止部により、挿入状態にあるホースのタンクから離間する方向への移動が制限されるので、液体の補給中にホースがタンクから外れてホース内の液体を撒き散らすことを防止できる。
【００１１】
請求項２記載の発明によれば、第１の係止部は、挿入状態で、第１の位置と軸線を挟んで第１の位置とは反対側の第２の位置とでタンクに当接するので、ホースの必要以上の挿入を確実に阻止することができる。
請求項３記載の発明によれば、第２の係止部は、挿入状態で、第３の位置と軸線を挟んで第３の位置とは反対側の第４の位置とでタンクに係止するので、ホースの外れを確実に防止することができる。
【００１２】
請求項４記載の発明によれば、固定具として、第１の係止部が簡単な構成の器具を提供することができる。
請求項５記載の発明によれば、挿入状態でタンクに対して固定具が回転することが抑制される。
請求項６記載の発明によれば、固定具として、第２の係止部が簡単な構成の器具を提供することができる。
【００１３】
請求項７記載の発明によれば、固定具に対してホースが回転可能になるので、ホースの捩れを解消することができる。
請求項８記載の発明によれば、尿素水溶液がホースの外壁に付着したり、ホースがタンクから外れてホース内の尿素水溶液を撒き散らしたりすることを防止できる。
【発明を実施するための最良の形態】
【００１４】
以下、添付された図面を参照して本発明を詳述する。
図１は、本発明の携行容器１の実施形態を示す説明図である。
携行容器１は、携行可能であって、尿素水溶液タンク２に補給する液体としての尿素水溶液を貯留する。携行容器１は、液体が貯留される本体部３と、第１の端部４が本体部３に接続されるとともに第２の端部５が尿素水溶液タンク２に接続されたホース６と、第２の端部５に固定された固定具７と、を含んで構成されている。この携行容器１では、ホース６の第２の端部５が尿素水溶液タンク２の開口部８から所定長さ挿入された挿入状態となって、本体部３を尿素水溶液タンク２より上方に持ち上げ、傾斜させることにより、本体部３内の尿素水溶液が尿素水溶液タンク２に補給される。
【００１５】
図２は、ホース６の第２の端部５の構造を示し、（Ａ）は正面図、（Ｂ）は側面図、（Ｃ）は底面図である。
ホース６は、断面が円形の蛇腹状に形成されている。第２の端部５には、ホース６の軸線Ｌｈを中心として回転可能に固定具７が固定されている。固定具７には、ホース６が挿入される挿入孔２１が形成されるとともに、ホース６の小径部に係止する爪部２２が形成されている。
【００１６】
図３は、固定具７の構造を示し、（Ａ）は正面図、（Ｂ）は側面図、（Ｃ）は底面図である。
固定具７は、樹脂等の可撓性を有する素材で形成されており、ベース部２３と第１の係止部２４と第２の係止部２５とを含んで構成されている。ベース部２３は、外径が尿素水溶液タンクの開口部と略同径の円環状に形成されており、その中心部の孔が挿入孔２１となる。
【００１７】
第１の係止部２４は、ベース部２３の周縁部からホースの挿入方向Ｄｉに伸びる湾曲板状の舌部２６と、この舌部２６からベース部２３の半径外方に向けて、即ち開口部の周壁に向けて伸びる外方突部２７と、を有している。第１の係止部２４は、ホースの軸線Ｌｈを中心とする周方向の第１の位置と、軸線Ｌｈを挟んで第１の位置とは反対側の第２の位置と、に形成されている。
【００１８】
第２の係止部２５は、ベース部２３の周縁部から挿入方向Ｄｉに伸びる略Ｌ字状の鉤部２８を有している。鉤部２８の先端部は、ベース部２３の半径外方に向けて、即ち開口部の周壁に向けて伸びている。第２の係止部２５は、ホースの軸線Ｌｈを中心とする周方向の第３の位置と、軸線Ｌｈを挟んで第３の位置とは反対側の第４の位置と、に形成されている。
【００１９】
図４は、尿素水溶液タンク２の開口部８の構造を示す説明図である。
尿素水溶液タンク２の開口部８は、円形であって上方を向いて開口している。開口部８の周壁３０には、挿入状態で舌部２６が挿入されるコ字状の切欠部３１が形成されている。
図５は、挿入状態での固定具７の状態を示す説明図である。
【００２０】
以上のような構造の携行容器１では、挿入状態で、第２の係止部２５の鉤部２８が開口部８の周壁３０に係止されて、ホース６が尿素水溶液タンクから離間する方向への移動が制限される。これにより、ホース６が尿素水溶液タンク２から外れて液体の補給中にホース６内に残留している尿素水溶液を撒き散らすことを防止できる。
また、挿入状態で、ホース６が尿素水溶液タンク２に更に押し込まれようとしても、第１の係止部２４の外方突部２７が開口部８の周壁３０に当接するので、それを超えてホース６が挿入されることが阻止される。これにより、ホース６の外壁に尿素水溶液タンク２内の尿素水溶液が付着することを防止できる。
【００２１】
第１の係止部２４は、ホース６の軸線Ｌｈを中心とする周方向の第１の位置と、軸線Ｌｈを挟んで第１の位置とは反対側の第２の位置と、に形成されるので、挿入状態で、第１の係止部２４は、軸線Ｌｈを挟んで互いに反対側の位置の２箇所で尿素水溶液タンク２に当接する。これにより、ホース６の尿素水溶液タンク２への必要以上の挿入を確実に阻止することができる。
また、第２の係止部２５は、ホース６の軸線Ｌｈを中心とする周方向の第３の位置と、軸線Ｌｈを挟んで第３の位置とは反対側の第４の位置と、に形成されるので、挿入状態で、第２の係止部２５は、軸線Ｌｈを挟んで互いに反対側の位置の２箇所で尿素水溶液タンク２に係止する。これにより、ホース６の尿素水溶液タンク２からの外れを確実に防止することができる。
【００２２】
挿入状態で舌部２６が切欠部１０に夫々挿入されるので、尿素水溶液タンク２に対して固定具７が回転することが抑制される。更に、固定具７は、ホース６に、その軸線Ｌｈを中心として回転可能に固定されるので、ホース６の捩れを吸収できる。
また、例えば作業者が第２の係止部２５を摘まみ、第２の係止部２５を軸線Ｌｈに向かって撓ませることによって、第２の係止部２５による開口部８の周壁３０への係止が解除されるので、尿素水溶液タンク２からホース６を着脱することが可能となる。
【００２３】
なお、本実施形態では、携行容器は尿素水溶液を貯留するが、本発明はこれに限定されるものではなく、液体を貯留する携行容器であれば適用できる。
また、本実施形態では、第１の係止部２４及び第２の係止部２５は、夫々２箇所に設けられているが、これに限定されるものではなく、軸線Ｌｈを中心とする周方向にずらして設定した３以上の箇所に設けることもできる。
【図面の簡単な説明】
【００２４】
【図１】本発明の携行容器の実施形態を示す説明図
【図２】ホースの第２の端部の構造を示し、（Ａ）は正面図、（Ｂ）は側面図、（Ｃ）は底面図
【図３】固定具の構造を示し、（Ａ）は正面図、（Ｂ）は側面図、（Ｃ）は底面図
【図４】尿素水溶液タンクの開口部の構造を示す説明図
【図５】挿入状態での固定具の状態を示す説明図
【符号の説明】
【００２５】
１  携行容器
２  尿素水溶液タンク
３  本体部
４  第１の端部
５  第２の端部
６  ホース
７  固定具
８  開口部
２３  ベース部
２４  第１の係止部
２５  第２の係止部
２６  舌部
２７  外方突部
２８  鉤部
３０  周壁
３１  切欠部
Ｄｉ  挿入方向
Ｌｈ  軸線
【図１】
2006347605.tif 000003
【図２】
2006347605.tif 000004
【図３】
2006347605.tif 000005
【図４】
2006347605.tif 000006
【図５】
2006347605.tif 000007